(57)【特許請求の範囲】
【請求項１】
外箱内に外槽を揺動自在に吊支し、該外槽内に、底部に回転翼を備えた洗濯兼脱水槽を回転自在に配設し、外箱の上部を洗濯兼脱水槽への衣類投入口を持つトップカバーで覆い、衣類投入口を開閉するように蓋を設け、脱水運転中は蓋を開放不能にロックする蓋ロック装置を設け、該蓋ロック装置は、トップカバー側に配設されて蓋側に出没自在なロックピンと、蓋側に設けられて前記ロックピンが挿入する係止凹部を備えた受け部材とで構成する洗濯機において、前記受け部材の上部を蓋の下面に回動自在に軸着し、トップカバーの内側を下方が蓋内側に突出するようにテーパー面に形成し、このテーパー面にロックピンの出没孔を設け、前記受け部材の軸着部をロックピンの出没孔の形成部位の直上位置よりもトップカバー側である外側に位置させることを特徴とした洗濯機の蓋ロック装置。
【請求項２】
前記軸着部に、トップカバーの方向に受け部材を付勢するバネを取り付けたことを特徴とする請求項１記載の洗濯機の蓋ロック装置。
【発明の詳細な説明】
【０００１】
【発明の属する技術分野】
本発明は、洗濯機の蓋ロック装置に関するものである。
【０００２】
【従来の技術】
全自動一槽式の洗濯機は、例えば図４に示すように、外箱１内に外槽を搖動自在に吊支し、該外槽内に、底部に回転翼２を備えた洗濯兼脱水槽３を回転自在に配設し、外箱１の上部開口の周囲部分をトップカバー４で覆い、洗濯兼脱水槽３の上方の開口を蓋５で開閉自在に閉塞している。図中６はトップカバー４の前側に配設された操作パネルを示す。
【０００３】
前記蓋５は、洗濯機と衣類乾燥機が一体に使用され、しかもその際、洗濯機の上方に衣類乾燥機が設置されることが多いことから、蓋５は高さを低くすることが要求され、図３にも示すように蓋後５ａと蓋前５ｂとの前後に２分割し、中央部のヒンジ部により中折れする構造となっている。
【０００４】
かかる構造の洗濯機において、給水、洗い、すすぎ、脱水の全行程は自動的に進行するが、脱水行程では、洗濯物の水分を遠心力で飛ばすために、洗濯兼脱水槽３が高速回転する。このため、脱水運転中は、蓋５を閉じ、しかも蓋５が容易に開かないようにする必要がある。
【０００５】
そのための構造として、図３、図５に示すように蓋ロック装置７を例えば蓋前５ｂの側部でトップカバー４との間に設け、蓋スイッチ（図示は省略した）からの蓋閉信号が周知のマイクロコンピュータによる運転制御部に出力され蓋５が閉じたことが確認されてから、脱水運転を開始し、また、脱水運転中は蓋ロック装置７により蓋５が開かないようにしている。
【０００６】
この蓋ロック装置７は、例えば、トップカバー４の下方に配設した電磁コイル８と該電磁コイル８への通電のオンオフにより出没するロックピン９と、蓋５の内側の下部に垂直に固定したロックピン９の受け部材１０とで構成され、受け部材１０は例えば細長板状片で形成し、該細長板状片にロックピン９の係止凹部１０ａを形成した。
【０００７】
そして、図５に示すようにロックピン９が蓋５の方向に突出し、トップカバー４に形成した出没孔４ｂを貫通して受け部材１０に形成した係止凹部１０ａに挿入することで、該ロックピン９により蓋前５ｂをトップカバー４に固定する。
【０００８】
【発明が解決しようとする課題】
このような蓋ロック装置７は、ロックピン９の蓋５側への突出によりロックする構造であるが、プラスチックなどの合成樹脂による成形品である蓋５は、初期形状にバラツキがあったり、また、経年変化が生じることから、製品毎にロックピン９と受け部材１０とのかかり代が異なったり、また、同じ製品であっても経年によってかかり代が次第に異なってくることがある。
【０００９】
このようなかかり代の変化に対応するため、従来は図５に示すようにロックピン９の突出状態で受け部材１０とトップカバー４のとの間のクリアランスＡを大きくとって、これに対処している。その結果、ロックピン９の突出長を長くする必要があり、蓋ロック装置７のユニット全体が大きくなって限られたスペースであるトップカバー４の下方に収納することが容易ではなかった。
【００１０】
また、場合によってはロックピン９と係止凹部１０ａとのかかり代が少なくなって、確実にロックできないおそれもある。
【００１１】
本発明の目的は前記従来例の不都合を解消し、製品毎にロックピンと受け部材とのかかり代が異なったり、また、同じ製品であっても経年によってかかり代が次第に異なってきても、これに対処でき、さらに、ロックピンと受け部材とのかかり代を常時最大長に確保できて確実にロックでき安全性を向上できる洗濯機の蓋ロック装置を提供することにある。
【００１２】
【課題を解決するための手段】
本発明は前記目的を達成するため、第１に、外箱内に外槽を揺動自在に吊支し、該外槽内に、底部に回転翼を備えた洗濯兼脱水槽を回転自在に配設し、外箱の上部を洗濯兼脱水槽への衣類投入口を持つトップカバーで覆い、衣類投入口を開閉するように蓋を設け、脱水運転中は蓋を開放不能にロックする蓋ロック装置を設け、該蓋ロック装置は、トップカバー側に配設されて蓋側に出没自在なロックピンと、蓋側に設けられて前記ロックピンが挿入する係止凹部を備えた受け部材とで構成する洗濯機において、前記受け部材の上部を蓋の下面に回動自在に軸着し、トップカバーの内側を下方が蓋内側に突出するようにテーパー面に形成し、このテーパー面にロックピンの出没孔を設け、前記受け部材の軸着部をロックピンの出没孔の形成部位の直上位置よりもトップカバー側である外側に位置させるようにした。
【００１３】
これにより、蓋閉時には、受け部材はトップカバーの内側のテーパー面にそって回動し、トップカバーのテーパー面と平行にこれに添うように位置するから、受け部材とトップカバーとの間に予めクリアランスを設けなくても、ロックピンの出没孔の対応位置に受け部材の係止凹部を位置させることができるだけでなく、ロックピンの係止凹部とのかかり代も所定の長さを常時確保できて、出没孔と係止凹部とにロックピンを所定長で確実に挿入できる。
【００１４】
第２に、前記軸着部に、トップカバーの方向に受け部材を付勢するバネを取り付けたことにより、受け部材はバネの弾力に抗してトップカバーのテーパー面にそって回動し、蓋閉時にはバネの弾力により受け部材はトップカバーの方向に押圧されるから、ロックピンの係止凹部とのかかり代を常時最大長に保持でき、ロックピンによるトップカバーと受け部材との結合をより確実にできる。
【００１５】
【発明の実施の形態】
以下、図面について本発明の実施の形態を詳細に説明する。図１は本発明の洗濯機の蓋ロック装置の実施の形態を示す縦断側面図、図２は同上ロック状態の縦断側面図で、本発明の蓋ロック装置が配設される洗濯機の全体構成は図４と同様であり、また、蓋の全体構成も図３と同様であるから、ここでの詳細な説明は省略する。
【００１６】
本発明の蓋ロック装置７も、基本的には図５に示した従来例と同様に、トップカバー４の下方に配設した電磁コイル８と該電磁コイル８への通電のオンオフにより出没するロックピン９と、蓋５の内側の取り付けたロックピン９の受け部材１０とで構成され、受け部材１０は例えば細長板状片で形成し、該細長板状片にロックピン９の係止凹部１０ａを形成した。
【００１７】
そして、ロックピン９が蓋５の方向に突出し、トップカバー４の内側のテーパー面４ａに形成した出没孔４ｂを貫通して受け部材１０に形成した係止凹部１０ａに挿入することで、該ロックピン９により蓋前５ｂをトップカバー４に固定する構造である。
【００１８】
かかる蓋ロック装置７において、本発明では前記受け部材１０を蓋５の内側に回動自在に軸着する。この場合、軸着部１１は蓋５の閉状態でトップカバー４に形成したロックピン９の出没孔４ｂの形成部位の直上位置よりもトップカバー４側である外側に位置させる。
【００１９】
また、軸着部１１にはトップカバー４の方向に受け部材１０を付勢するバネ１２を取り付けておく。本実施形態では、図１に示すようにバネ１２は蓋５が開状態にあるときに垂直に保持される程度の弾力に構成しておく。
【００２０】
次に作用について説明する。蓋５の開状態では、図１に示すように受け部材１０はバネ１２の弾力により垂直に吊支されている。この状態から蓋５を閉じると、受け部材１０の先端がトップカバー４の内側のテーパー面４ｂに当接し、これにそって下降する。
【００２１】
このとき、テーパー面４ａは内側に突出するような方向で傾斜しているから、受け部材１０はバネ１２の弾力に抗して軸着部１１を中心にして内側に回動し、図２に示すように蓋５を閉じた状態では、受け部材１０の側面がトップカバー４のテーパー面４ａに当接し、出没孔４ｂと係止凹部１０ａとが対応位置で、かつ、ほとんどクリアランスのない状態で近接する。
【００２２】
よって、電磁コイル８に通電すれば、ロックピン９が突出し、出没孔４ｂを貫通して係止凹部１０ａ内に先端が没入し、ロックピン９によって蓋５がトップカバー４に固定される。
【００２３】
この状態で、前記のように出没孔４ｂと係止凹部１０ａとが対応位置で、かつ、ほとんどクリアランスのない状態で近接しているから、ロックピン９は係止凹部１０ａに最大長没入し、また、バネ１２の弾力で受け部材１０はトップカバー４の方向に押圧されているから、この位置に保持され、ロックピン９の係止凹部１０ａとのかかり代を常時最大長に保持でき、ロックピン９によるトップカバー４と受け部材１０との結合をより確実にできる。
【００２４】
なお、バネ１２は取り付けなくても、受け部材１０を自重で回動自在なように吊支しても、蓋５を閉じた状態で受け部材１０は自重でトップカバー４の方向に付勢されるから、前記と同様の作用が得られる。
【００２５】
【発明の効果】
以上述べたように本発明の洗濯機の蓋ロック装置は、第１に、外箱内に外槽を揺動自在に吊支し、該外槽内に、底部に回転翼を備えた洗濯兼脱水槽を回転自在に配設し、外箱の上部を洗濯兼脱水槽への衣類投入口を持つトップカバーで覆い、衣類投入口を開閉するように蓋を設け、脱水運転中は蓋を開放不能にロックする蓋ロック装置を設け、該蓋ロック装置は、トップカバー側に配設されて蓋側に出没自在なロックピンと、蓋側に設けられて前記ロックピンが挿入する係止凹部を備えた受け部材とで構成する洗濯機において、前記受け部材の上部を蓋の下面に回動自在に軸着し、トップカバーの内側を下方が蓋内側に突出するようにテーパー面に形成し、このテーパー面にロックピンの出没孔を設け、前記受け部材の軸着部をロックピンの出没孔の形成部位の直上位置よりもトップカバー側である外側に位置させるようにした。
【００２６】
これにより、蓋閉時には、受け部材はトップカバーの内側のテーパー面にそって回動し、トップカバーのテーパー面と平行にこれに添うように位置するから、受け部材とトップカバーとの間に予めクリアランスを設けなくても、ロックピンの出没孔の対応位置に受け部材の係止凹部を位置させることができるだけでなく、ロックピンの係止凹部とのかかり代も所定の長さを常時確保できて、出没孔と係止凹部とにロックピンを所定長で確実に挿入できる。
【００２７】
第２に、前記軸着部に、トップカバーの方向に受け部材を付勢するバネを取り付けたことにより、受け部材はバネの弾力に抗してトップカバーのテーパー面にそって回動し、蓋閉時にはバネの弾力により受け部材はトップカバーの方向に押圧されるから、ロックピンの係止凹部とのかかり代を常時最大長に保持でき、ロックピンによるトップカバーと受け部材との結合をより確実にできる。
【図面の簡単な説明】
【図１】本発明の洗濯機の蓋ロック装置の実施形態を示す蓋開状態の縦断側面図である。
【図２】  本発明の洗濯機の蓋ロック装置の実施形態を示す蓋閉状態の縦断側面図である。る。
【図３】蓋ロック装置を備える洗濯機のおよびトップカバーの斜視図である。
【図４】蓋ロック装置を備える洗濯機の斜視図である。
【図５】従来の洗濯機の蓋ロック装置の縦断側面図である。
【符号の説明】
１…外箱              ２…回転翼            ３…洗濯兼脱水槽
４…トップカバー      ５…蓋                ５ａ…蓋後
４ａ…テーパー面      ４ｂ…出没孔
５ｂ…蓋前            ６…操作パネル        ７…蓋ロック装置
８…電磁コイル        ９…ロックピン        １０…受け部材
１０ａ…係止凹部      １１…軸着部          １２…バネ
【図１】
0004520656.tif 000002
【図２】
0004520656.tif 000003
【図３】
0004520656.tif 000004
【図４】
0004520656.tif 000005
【図５】
0004520656.tif 000006